(57)【特許請求の範囲】
【請求項１】
少なくともＲＧＢの色領域が分割されて各色領域の形成角度が多種多様なカラーホイールと、このカラーホイールの所定の光集光領域を通過した光が入射するロッドインテグレータレンズと、このロッドインテグレータレンズからの入射光を受光するデジタルマイクロミラーデバイスなどの映像表示素子とを備えたプロジェクタ用の光源装置の駆動方法であって、該光源装置は、放電容器内に０．２０ｍｇ／ｍｍ３以上の水銀と希ガスとハロゲンが封入され、各々の先端に突起を有する一対の電極を具えた超高圧水銀ランプと、該超高圧水銀ランプに対し電流を供給制御する給電制御装置からなり、該給電制御装置から、６０〜１０００Ｈｚの範囲から選択された周波数のランプ電流を定常周波数として、該超高圧水銀ランプに供給し、該カラーホイールの１つの色領域と他の色領域の境界部分が当該カラーホイール上に形成される光集光領域に適合したときに該超高圧水銀ランプに対する供給電流の極性を反転させ、かつ、一定間隔で周波数５〜２００Ｈｚの低周波のランプ電流を該カラーホイールの同一色領域へ切り替わる境界に該光集光領域が適合したときに挿入開始し、該低周波のランプ電流を挿入する毎に、該カラーホイールの色領域の整数個分に相当する一定の期間持続供給することを特徴とするプロジェクタ用の光源装置の駆動方法。
【発明の詳細な説明】
【技術分野】
【０００１】
この発明は、カラーホイールを使った単板式プロジェクタ装置に使われる光源装置の駆動方法に関する。特に、カラーホイールと同期させて給電を制御する光源装置の駆動方法に関する。
【背景技術】
【０００２】
液晶やＤＭＤ（デジタルマイクロミラーデバイス）を用いたプロジェクタ装置は、光源（放電ランプ）から放射される光を、反射鏡やレンズ系を用いて、映像情報を表示する小型素子上に集光照明させて、この小型素子からの反射あるいは透過光をレンズなどの光学系を通してスクリーンに照射させる。この際、放電ランプは点光源であることが求められる。小型素子は１インチ以下と小さく、かつ入射光束の角度成分が小さい方が、光の利用効率が高くなり、かつ画像のコントラストも良くなるからである。
【０００３】
画像情報をカラーで投射する方法は、単板方式と３板方式が存在するが、近時、プロジェクタ装置のコンパクト化により、単板方式が主に採用されている。この単板方式は色順次式とも言われる。光源からの白色放射光をＲＧＢ（赤色、緑色、青色）の領域が分割形成されたカラーホイールを介してＤＭＤに照射し、このＤＭＤで特定の光を反射させてスクリーンに照射するものである。ＤＭＤとは、１画素ごとに小さな鏡を数百万個敷き詰めたものであって、一つ一つの小さな鏡の向きを制御することで光の投射を制御するものである。プロジェクタ装置の光源装置については特許文献１にその構成例が開示されている。
【０００４】
交流方式の超高圧水銀ランプを色順次式のプロジェクタに用いる場合、ランプ電流の極性反転とカラーホイールのスポークタイム(色領域の切り替えの間)とを同期をとって動作させることが一般になされる。これは、この同期をとらないと、ランプ電流の極性反転時に、光出力が変動してしまい、結果として、投影スクリーン上にチラツキが発生するためである。
【０００５】
交流方式の超高圧水銀ランプにおいては、不安定放電を抑制するために電極先端に突起を形成する技術が例えば特許文献２に開示されている。そして、特に水銀量が０．２０ｍｇ／ｍｍ３以上を封入した超高圧水銀ランプにおいては、アーク輝点を安定させ、フリッカー現象を抑制するためにはこの突起電極を適性形状に維持安定させることが特に必要であり、そのためにランプの点灯周波数を比較的高い周波数と低い周波数の組み合わせで動作させるという技術が特許文献３に開示されている。
【特許文献１】特開２００５−１９６０１１号公報
【特許文献２】特開２００３−５１２８２号公報
【特許文献３】特開２００６−３３２０１５号公報
【発明の開示】
【発明が解決しようとする課題】
【０００６】
交流方式の超高圧水銀ランプを単板式のプロジェクタの光源に使用するに際しては、前述のように、ランプ電流の極性反転とカラーホイールのスポークタイム(色領域の切り替わる間)とを同期をとって動作させていた。
【０００７】
発明者は、電極先端に突起形状のある、水銀量が０．２０ｍｇ／ｍｍ３以上を封入した交流方式の超高圧水銀ランプにおいて突起形状を適性に維持するための特許文献３の技術を使用した点灯方法およびこの「ランプ電流の極性反転とカラーホイールのスポークタイムとを同期をとって動作」させた点灯方法とを合わせて点灯することを試みた。
【０００８】
ところが、ランプの点灯初期の例えば２０時間以内という極めて早い段階でランプ電圧が上昇するという不具合な現象が現れた。そして、その結果としてスクリーン面での現象としては照度の低下が生じてきた。
【０００９】
そこで、本発明の解決しようとする課題は、カラーホイールを使ったプロジェクタに使う光源装置の駆動方法において、ランプ電圧の変動を抑制し、スクリーン上でのランプ寿命初期における照度変動を抑制した駆動方法を提供することにある。
【課題を解決するための手段】
【００１０】
上記課題を解決するために、本願発明の手段は、少なくともＲＧＢの色領域が分割されて各色領域の形成角度が多種多様なカラーホイールと、このカラーホイールの所定の光集光領域を通過した光が入射するロッドインテグレータレンズと、このロッドインテグレータレンズからの入射光を受光するデジタルマイクロミラーデバイスなどの映像表示素子とを備えたプロジェクタ用の光源装置の駆動方法であって、該光源装置は、放電容器内に０．２０ｍｇ／ｍｍ３以上の水銀と希ガスとハロゲンが封入され、各々の先端に突起を有する一対の電極を具えた超高圧水銀ランプと、該超高圧水銀ランプに対し電流を供給制御する給電制御装置からなり、該給電制御装置から、６０〜１０００Ｈｚの範囲から選択された周波数のランプ電流を定常周波数として、該超高圧水銀ランプに供給し、該カラーホイールの１つの色領域と他の色領域の境界部分が当該カラーホイール上に形成される光集光領域に適合したときに該超高圧水銀ランプに対する供給電流の極性を反転させ、かつ、一定間隔で周波数５〜２００Ｈｚの低周波のランプ電流を該カラーホイールの同一色領域へ切り替わる境界に該光集光領域が適合したときに挿入開始し、該低周波のランプ電流を挿入する毎に、該カラーホイールの色領域の整数個分に相当する一定の期間持続供給することを特徴とするプロジェクタ用の光源装置の駆動方法とするものである。
【００１１】
先端に突起のある電極を備えた水銀量が０．２０ｍｇ／ｍｍ３以上を封入した超高圧水銀ランプに対して低周波のランプ電流を挿入する技術は単板式のプロジェクタ用の光源装置では本発明の前までは使用された例がなく、ＲＧＢそれぞれの色１枚づつ合わせて３枚の平板フィルタを使用した３板式のプロジェクタにおいてのみ使用されてきた。そのときには、単に所定の時間だけ時間間隔をあけて所定の継続時間だけ低周波のランプ電流の挿入時間として決めていた。
【００１２】
一方で、単板式のプロジェクタにおいては、交流ランプを使用した光源装置の駆動において、画像ノイズを避けるため、スポークタイムに同期した正負の電流切替えのみを行っていた。発明者は、単板式のプロジェクタ用の光源装置に突起のある電極を備えた交流ランプを使用して低周波電流の挿入を行う場合に、従来のように、スポークタイムに同期した正負の電流切替えをしつつ、低周波電流の持続期間については回転するカラーホイールの個々の色領域が光集光点を通過する数を同じにするという方法を試みた。
【００１３】
これは低周波電流を挿入することにより、突起形状をランプ寿命中において維持するためであり、その手法として、カラーホイールの個々の色領域が光集光点を通過する数を同じにするという方法は、点灯電源のプログラム作成上、簡便であったためである。
単板式のプロジェクタの内部構成を示すブロック図の図２と従来の光源装置の動作のフローチャートを示す図９により以下のその手順を示す。
１．光源装置１０の給電制御装置１１は、プロジェクタ装置１００の制御処理部１６からの同期信号を検出する。
２．同期信号の立ち上がり時点毎に給電制御装置１１に内蔵されたカウンターでカウントを開始する。
３．同期信号の立ち上がり時点毎にランプ電流の極性を反転する。
４．所定の色領域分の高周波点灯を実施する。
５．所定の色領域分の低周波点灯を実施する。
６．カウンターをリセットする。
そして、それ以降は２．から６．までを繰り返す。
【００１４】
単板方式のプロジェクタ装置において、カラーホイールの各色領域の形成角度の設計は、プロジェクタの明るさや色味で決定するため、各メーカーのプロジェクタ機種によって多種多様あり、同じ角度設計ではなかった。
【００１５】
カラーホイールは例えば１２０Ｈｚ（毎秒１２０回転）というように一定速度で回転するため、回転するカラーホイールの面上で、光源からの放射光が通過する１点に着目したときに、各色領域の予め決められた形成角度によってその点を各色領域が通過する時間は異なってくる。
【００１６】
放射光が通過する色領域の数だけが決定されていても、挿入する色領域が特定されていないと、低周波電流の周波数の変動が生じていた。例えば、赤９０°、黄色３５°緑９０°シアン３５°白３０°青８０°のカラーホイール設計で、低周波電流の挿入された色領域の個数が５の場合、赤から低周波電流の挿入が開始される場合には、周波数は赤から白までの２８０°に対応する周波数になるが、低周波電流の挿入が緑から開始される場合には、緑から赤までの３２５°に対応する周波数となり、周波数が変動することになった。そして、発明者は、低周波電流の周波数が一定でない結果として、ランプ点灯初期において、電圧上昇が観察されたものと考えた。
【００１７】
電圧上昇は、ランプ構造的には電極間距離（アーク長）の伸びを意味し、アーク長の伸びは、光学系への利用効率が減少することを意味し、結果として、初期の照度減衰をもたらしたと考えた。アーク長の伸びは、ランプのX線写真観察を行った結果から電極の変形が原因であった。
【００１８】
低周波電流の挿入を行うときのカラーホイールの色領域を固定しないと、このような電極変形が起こるという明白なメカニズムは未だわかっていない。しかし、次のようなメカニズムが推測される。
【００１９】
低周波電流の挿入には、特許文献３にあるように、電極先端から蒸発した電極素材であるタングステンが先端突起近傍に析出したものを溶かす効果がある。低周波電流挿入継続時間の微妙な長短の違いが先端突起近傍の析出物の溶融あるいは成長に明白な差異として現れたものと推測した。その溶かすべきエネルギーには、最適領域があり、低周波電流挿入継続時間が長く、エネルギーが大きすぎると、析出したタングステンを溶かすことはできるが、主となる突起が損耗してしまう。逆に、低周波電流挿入継続時間が短い場合、析出物を溶かすエネルギーが不十分なため、析出を抑制する効果が薄い、つまり、低周波電流挿入継続時間は、常に一定でなければならなかったが、従来は、低周波電流挿入を回転するカラーホイールの面上で放射光の光集光領域が色領域の開始位置に来た時点、前述のスポークタイムで行う場合に、低周波電流挿入開始の色領域を同一と決めずに行っていたために、カラーホイールの各色領域の形成角度が多種多様であったことと相俟って低周波電流挿入継続時間が変化していたということが考えられた。以上の考察により本発明の構成は完成した。
【発明の効果】
【００２０】
本発明によって、カラーホイールを使ったプロジェクタ装置に使われる光源装置において、低周波電流を挿入開始する色領域を固定することにより、ランプ電圧の変動を抑制させることが可能になり、結果として、ランプ寿命初期の光源装置の劣化を抑制することができる。
【発明を実施するための最良の形態】
【００２１】
図を使って本発明の実施の形態を説明する。図２に単板式のプロジェクタ１００の内部構成を示すブロック図を示す。プロジェクタ１００は、凹面反射鏡２を具備した交流点灯タイプの超高圧水銀ランプ１と、ランプ１からの光を時間的に各色に分割するカラーホイール３と、このカラーホイール３の所定の光集光領域を通過した光が入射するロッドインテグレータレンズ４とロッドインテグレータレンズを通った光をDMD（デジタルマイクロミラーデバイス）などの映像表示素子５に到達させる光学素子６と、映像表示素子５上の画像をスクリーンに投影する光学系７などからなる。
【００２２】
超高圧水銀ランプ１のアーク輝点と凹面反射鏡２の第一焦点が略一致するように両者が配置する。凹面反射鏡２の第二焦点はロッドインテグレータレンズ４のほぼ入射端に位置しており、凹面反射鏡２からの反射光はカラーホイール３を介してロッドインテグレータレンズ４に入射する。カラーホイール３は、カラーホイール駆動部１５によって回転、停止などの駆動制御が行なわれ、超高圧水銀ランプ１は給電制御装置１１により給電制御が行なわれる。
【００２３】
またプロジェクタ１００は、演算を行うプロセッサ、演算に必要なプログラム等の情報を記憶するＲＯＭ、及び一時的に発生した情報を記憶するＲＡＭ等からなる制御処理部１６を備え、制御処理部１６は、プロジェクタ全体の動作を制御する処理を行う。
【００２４】
またプロジェクタ１００は、カラーホイール３を回転させるモータ、およびカラーホイールの回転速度を制御する制御回路等からなるカラーホイール駆動部１５を備え、カラーホイール駆動部１５は制御処理部１１に接続されている。
【００２５】
交流タイプの超高圧水銀ランプ１には、ランプへ交流電流を供給する給電制御装置１１と接続され光源装置１０となる。給電制御装置１１は、信号線で制御処理部１６に接続されている。映像表示素子５には、映像表示素子５に必要な画像を形成させる処理を行うデバイス制御回路２０が接続されており、デバイス制御回路２０は制御処理部１１に接続されている。
【００２６】
図３はカラーホイール３の拡大図を示す。カラーホイールは、回転フィルタとも呼ばれ、円板状のガラスから構成される。フィルタには赤（Ｒ）、緑（Ｇ）、青（Ｂ）、白（Ｗ）、シアン（Ｃ）、黄色（Ｙ）の領域がそれぞれ扇型に形成されている。光集光領域３０１を斜線四角区域で示している。
【００２７】
図３（ａ）は黄色がロッドインテグレータに入射する状態を示し、図３（ｂ）は赤色と黄色の境界がロッドインテグレータ上にあるために結果として赤色と黄色が混ざってロッドインテグレータに入射する状態を示す。
【００２８】
光源装置１０の凹面反射鏡２からの反射光は、カラーホイール３上に形成される光集光領域３０１を透過する。カラーホイール３が回転することにより、光集光領域３０１に対応する色が順次、後段のロッドレンズ４に導かれることとなる。従って、赤（Ｒ）、緑（Ｇ）、青（Ｂ）白（Ｗ）、シアン（Ｃ）、黄色（Ｙ）が時間分割的に投影されるため、瞬間的にはいずれかの色しか画像表示素子５を介してスクリーンに投影されないが、人間の視覚的にはこれらの色あるいはその混合色が画像として認識される。なお、白（Ｗ）は画像を全体に明るくするためのものであり、一定周期ごとに白色が投影されることで画像全体も明るくできる。ここで、カラーホイール３は、例えば、１２０Ｈｚで回転（毎秒１２０回転）するため、１秒間に赤、緑、青、白、シアン、黄色が１２０回投影されることとなる。
各色領域の角度の一例を挙げれば、赤９０°、緑９０°、青８０°、白３０°、シアン３５°、黄色３５°である。なお、カラーホイール３は、最終的な画像の色バランスや明るさを考慮して、各々領域面積が規定される。カラーホイール上に仮想的に形成される光集光領域３０１は例えば３．６×４．８ｍｍの矩形形状である。
【００２９】
図４は給電制御装置１１の内部構成を示すブロック図を示す。スタータ回路１１３は、ランプの絶縁破壊のため、始動初期に必要な数〜十数kVの高電圧を発生回路であり、イグナイターコイルおよびサイリスターなどより構成される。給電制御装置１１は、直流電源からの直流電流を適正なランプ電力になるような直流電流に変換して出力する降圧チョッパー回路１１１と、降圧チョッパー回路が出力する直流電流を交流電流へ変換して超高圧水銀ランプ１へ出力するフルブリッジ回路１１２とを備えている。
【００３０】
降圧チョッパー回路１１１は、スイッチング素子Ｑｘ、ダイオードＤ、コイルＬ、コンデンサーＣから構成される。ダイオードＤ、コイルＬの後段には電圧検出用の抵抗Ｒ１、Ｒ２と、電流検出用の抵抗Ｒが接続され、電流検知信号Siが
制御回路１１４に伝達される。スイッチング素子ＱｘにはＰＷＭ制御回路Ｇｘが接続されており、制御回路部は、電流検知信号および電圧検知信号を演算し、目的の電力になるように、ＰＷＭ制御回路Ｇｘ部に信号を送信し、その信号により、スイッチング素子のデューティ比のＰＷＭ制御を行うことにより、降圧チョッパー回路１１１が出力する直流電流の電力を制御する構成となっている。
【００３１】
ブリッジ回路１１２は、各スイッチング素子Ｑ１、Ｑ２、Ｑ３、Ｑ４にはそれぞれブリッジ制御回路Ｇ１、Ｇ２、Ｇ３、Ｇ４が接続されており、ブリッジ制御回路１１２は各スイッチング素子Ｑ１、Ｑ２、Ｑ３、Ｑ４へゲート信号を入力することによってスイッチング素子Ｑ１、Ｑ２、Ｑ３、Ｑ４のＯＮ／ＯＦＦを切り替える制御を行う構成となっており、対になるスイッチング素子Ｑ１、Ｑ４とＱ２、Ｑ３とが交互にＯＮ／ＯＦＦすることにより、直流電流が交流電流へ変換されて交流の超高圧水銀ランプ１へ供給される。これらのスイッチングは、Lamp  Sync信号に同期して制御される。
【００３２】
次に、プロジェクタ１００および給電制御装置１１の動作を単板式のプロジェクタの内部構成を示すブロック図の図２と図５を用いて説明する。図５はプロジェクタ１００が動作する際に各構成ブロック間で入出力される信号を示す制御図である。カラーホイール３には色領域の位置を決定するために、カラーホイール３の回転部にマークが備えられており、これをセンサーで読み取ることにより、カラーホイールの回転位置検出信号Ｓｃが得られる。これにより、動作中、どの色領域を通過した光がスクリーンに投影されているかをプロジェクタ１００は検知する。また、プロジェクタ１００の内部に搭載されたし制御処理部１６（マイクロプロセッサー）は、このカラーホイールの回転位置検出信号を元に、給電制御装置１１を制御するための信号、同期信号Ｓｂを送信する。同期信号Ｓｂには２つの役割があり、その一つは、ランプ電流の極性反転タイミングを給電制御装置１１に伝えることであり、二つ目は、給電制御装置１１にその極性反転を行うのはどの色領域かを伝達するためである。この図５では、ランプ電流の極性反転タイミングは、同期信号の立ち上がりに同期して行われ、一方、どの色領域かの認識は特定の色領域に継続時間の長いロングパルス信号を与えることにより行う。この図の例では赤色領域中にロングパルス信号を送信している。
【００３３】
図１に本発明の光源装置の動作のフローチャートを示す。それは以下のとおりである。
１．光源装置１０の給電制御装置１１は、プロジェクタ装置１００の制御処理部１６からの同期信号を検出する。
２．同期信号の立ち上がり時点毎に給電制御装置１１に内蔵されたカウンターでカウントを開始する。
３．同期信号の立ち上がり時点毎にランプ電流の極性を反転する。
４．制御処理部１６からの同期信号中の特定の色領域に対応するロングパルスを検出したときにカウンターをリセットする。
５．同期信号の立ち上がり時点毎に給電制御装置１１内蔵されたカウンターでカウントを開始する。
６．所定の色領域分の高周波点灯を実施する。
７．所定の色領域分の低周波点灯を実施する。
８．カウンターをリセットする。
そして、それ以降は５．から８．までを繰り返すことによってランプを定常点灯状態に保つ。
【００３４】
図２の制御処理部１６は、DVDプレーヤーやパソコンなどの映像出力機器からの画像データを受け付け、画像信号の垂直同期信号に応じた回転制御信号Ｓｄをカラーホイール駆動部１５へ出力する。カラーホイール駆動部１５は、制御処理部１６からの回転制御信号Ｓｄに従って、カラーホイール３を一定速度で回転させる。カラーホイール駆動部１５は、カラーホイール３の中のいずれの色領域を光が通過しているかの回転位置を検出する手段を備えており、検出した回転位置を示す回転位置検出信号Ｓcを制御処理部１６へ出力する。これにより、制御処理部１６は、各時点でいずれの色の領域を光が通過しているかを知ることができる。制御処理部１６は、カラーホイール３の回転位置に合わせてデバイス制御回路２０の動作を制御し、画像データに基づいた各色用の画像を映像表示素子で表示させる。制御処理部１６は、交流の超高圧水銀ランプ１へ供給する交流電流の極性を反転させるタイミングを超高圧水銀ランプ１からの光がカラーホイール３内のカラー領域の境界を通過するタイミング（スポークタイム）に同期させるための同期信号Ｓｂをカラーホイール３の回転位置に従って生成し、生成した同期信号Ｓｂをランプ電源へ出力する。給電制御装置１１は、同期信号Ｓｂのタイミングに従い、ブリッジ制御回路を介してランプ電流の極性反転をさせる。
【実施例】
【００３５】
図６および図７に沿って、本願発明の効果を示す実験について説明する。
使用したランプは図８に示すような交流点灯方式の超高圧水銀ランプ３０である。石英ガラス製の発光管３１内に、０．２５ｍｇ／ｍｍ３の水銀と希ガスと微量のハロゲンガスが封入され、発光管外径１２ｍｍ、電極４０、４０の間の距離１．１ｍｍであって、定格２５０Ｗのランプである。電極４０、４０の先端にはそれぞれ突起４１、４１を有する。
【００３６】
点灯初期のランプ電圧は約８０Ｖである。発光部の両端には封止部３２が形成されている。封止部３２には、モリブデンよりなる導電性金属箔３３が、シュリンクシールにより気密に埋設される。金属箔３３の一端には、電極４０の軸部が接合しており、他端には外部リード３４が接合して給電制御装置（不図示）と電気的に接続している。この仕様のランプを４本準備して、２本ずつを以下の条件で点灯試験した。
【００３７】
条件１（比較例）
定常電流の周波数を平均３６０Ｈｚとし、７４〜９６Ｈｚの低周波電流を挿入した。低周波電流の挿入のタイミングを初回はカラーホイールのシアン（Ｃ）の色領域開始時とし、挿入継続時間をカラーホイールの色領域の９個分に相当する期間持続供給した。ただし、それ以降の低周波電流導入のタイミングについてはカラーホイールのシアンの色領域開始時とせずに、挿入継続時間だけをカラーホイールの色領域の９個分に相当する期間とした。低周波挿入の間隔は色領域の３８個分とした。
【００３８】
条件２（実施例）
定常電流の周波数を平均３６０Ｈｚとし、８４Ｈｚ固定の低周波電流を挿入した。
低周波電流の挿入のタイミングを初回はカラーホイールのシアンの色領域開始時とし、挿入継続時間をカラーホイールの色領域の９個分に相当する期間持続供給した。そして、それ以降の低周波電流導入のタイミングについてもカラーホイールのシアン（Ｃ）の色領域開始時とし、挿入継続時間もカラーホイールの色領域の９個分に相当する期間とした。低周波挿入の間隔は色領域の３９個分とした。
条件１にて２本のランプについて実験を行った結果を比較例１、比較例２として図７に示している。そして、条件２にて２本のランプについて行った結果を実施例１、実施例２として図７に示している。
【００３９】
この図７の結果をみると、比較例においては、ランプ電圧は点灯開始から１５時間経過で２０〜３０Ｖの上昇が見られた。しかし、本発明においては、実施例１、実施例２の光源装置ともランプ電圧は点灯開始から殆ど変化がなく、安定していた。すなわち、この光源装置を使用すればプロジェクタのスクリーン上での照度の初期劣化を生じないことが示された。
【図面の簡単な説明】
【００４０】
【図１】本発明の光源装置の動作のフローチャートを示す。
【図２】本発明の駆動方法が適用される単板式のプロジェクタの内部構成を示すブロック図を示す。
【図３】カラーホイールの拡大図を示す。
【図４】給電制御装置の概略構成を示す。
【図５】プロジェクタが動作する際に各構成ブロック間で入出力される信号を示す制御図を示す。
【図６】本発明の実施例と比較例のカラーホイール色領域との関係での低周波電流挿入タイミング図を示す。
【図７】本発明の効果の図を示す。
【図８】放電ランプの概略構成を示す。
【図９】従来の光源装置の動作のフローチャートを示す。
【符号の説明】
【００４１】
１  超高圧水銀ランプ
２  凹面反射鏡
３  カラーホイール
４  ロッドインテグレータレンズ
５  映像表示素子
６  光学素子
７  光学系
１０  光源装置
１１  給電制御装置
１５  カラーホイール駆動部
１６  制御処理部
２０  デバイス制御回路
３０  超高圧水銀ランプ
３１  発光部
３２  封止部
３３  金属箔
３４  外部リード
４０  電極
４１  突起
１００  プロジェクタ
１１１  降圧チョッパー回路
１１２  ブリッジ回路
１１３  スタータ回路
１１４  制御回路
Ｓａ  点灯検出信号
Ｓｂ  同期信号
Ｓｃ  回転位置検出信号
Ｓｄ  回転制御信号
Ｓｅ  画像制御信号
【図１】
0005151565.tif 000002
【図２】
0005151565.tif 000003
【図３】
0005151565.tif 000004
【図４】
0005151565.tif 000005
【図５】
0005151565.tif 000006
【図６】
0005151565.tif 000007
【図７】
0005151565.tif 000008
【図８】
0005151565.tif 000009
【図９】
0005151565.tif 000010